(57)【要約】【課題】  本考案は結露を防止し、かつ、結露を利用することで、結果、結露を活用するコップを提供し、更に、結露の具合を使う人の好みに合わせることのできるコップにする。【解決手段】  コップの外周を２重することにより得られる空気層内に、結露を防止する炭と、主に結露を楽しむ砂を入れ、更に、飲料水等の内容物を入れたりする部分を含む本体部と、それ以外の底辺部を接点で電球のオス、メスの形態のように電球はめ込み式で結合し、取り外しが可能な着脱方式にすることにより、コップの中に作られる空気層内に入れられるものを、使う人の自由にできることを可能にする特徴を有するコップにする。【選択図】  図１
0003109343.tif 000002
【実用新案登録請求の範囲】
【請求項１】
真空の意味合いも含む空気層を間に設けるために外周を２重にしたコップの、そのコップの空気層内の水分調整等を行うために炭をその空気層内に入れ、コップ素材表面に付着する結露を防止して、更に、コップに作られた空気層内の水分とその空気層内のコップ素材表面に付着する残りの結露を吸収する機能を持たせるために、コップに作られた空気層内に砂を入れ、更にその砂は、五感を刺激するためにも機能を発揮する特徴を有するコップ。
【請求項２】
真空の意味合いも含む空気層を間に設けるために外周を２重にしたコップを二つに分けて、飲料水等の内容物を入れたりする部分を含む本体部と、それ以外の底辺部を接点で電球のオス、メスの形態のように電球はめ込み式で結合し、取り外しが可能な着脱方式にして、コップの中に作られる空気層内に入れられるものを、使う人の自由にできることを可能にする特徴を有するコップ。
【考案の詳細な説明】
【技術分野】
【０００１】  本考案は、コップ素材表面に付着する結露を防止した上で、その結露を活用するコップに関わるもので、更に、そのコップの形状を飲料水等の内容物を入れたりする部分を含む本体部と底辺部の取り外しが可能な着脱方式にした、コップに関するものである。
【技術背景】
【０００２】  結露防止という目的のコップでは、真空等の意味合いも含む空気層を設けるためにコップの外周を２重にする発想はあったが、コップ素材表面に通常の結露が付着したコップがそのままの状態で使用されていたり、コースターや紙ナプキン等の補助具と共に使用されていたりしたが、コップ素材表面に付着する結露から発生した水分は、不快感を与えることが多かった。
【考案の開示】
【考案が解決しようとする課題】
【０００３】  従来のコップでは、一般にコースターや紙ナプキン等の補助具を使用しても、コップ素材表面に付着する結露による水分は、不快感を与えることが多く、本来、安らぐべき目的の道具として使用するコップが逆効果を与えて、結果、人の営みの生産性を低下させる要因を招いている。従って、コップ素材表面に付着する結露の防止を促進するとともに、自然の恵みである結露という水を五感で楽しんで活用する仕組みを考えれば、安価で人にやさしいコップが使用可能になり、休息の目的のために使用する道具としてのコップの付加価値はあがる。
【課題を解決するための手段】
【０００４】  本考案は、真空の意味合いも含む空気層を間に設けるために外周を２重にしたコップの、その空気層内の水分調整や、その空気層内の空気やコップ素材の保温等を行うために炭をその空気層内に入れ、コップ素材表面に付着する結露を防止して、更に、コップに作られた空気層内に砂を入れ、、コップに作られた空気層内の水分とその空気層内のコップ素材表面に付着する残りの結露を吸収する機能と、その空気層内の空気やコップ素材の保温等を行う機能を持たせ、更に、その砂は、五感を刺激するためにも機能を発揮する特徴を有するコップにする。より好ましい構成としては、最後までコップの内容物が残る、コップに作られた空気層内の底面に、コースター代わりになりうる炭を入れ、その炭の上部に砂を入れる。追加して、真空の意味合いも含む空気層を間に設けるために外周を２重にしたコップを、アイスコーヒー、酎ハイ、清涼飲料等の飲料と、氷などの固形物を合わせて入れる、もしくは、別々に入れたりする部分を含む本体部と、それ以外の底辺部を接点で電球のオス、メスの形態のように電球はめ込み式で結合して、その本体部と底辺部が合わさる部分には素材に金具を用い、電球はめ込み式の結合部以外の本体部と底辺部が合わさる部分には、必要であればゴム等を付けて密着性を高め、取り外しが可能な状態にできる着脱方式にして、コップの中に作られる空気層内に入れられるものを、より多くの砂を入れたり、炭の粒のみや、星砂のみや、思いでの涙とかを入れて、使う人の自由にできることを可能にする特徴を有するコップにすることで、そのコップは使う人の好みに合うコップとなり得り、そのコップの付加価値はあがる。
【考案の効果】
【０００５】  このような手段を用いれば、更に、そのコップに注がれている飲料水等の内容物を動かすときの音と、若干残るであろう結露の見た目と、そのコップを傾けたときに動く砂の音と、そのコップを手に持てば結露が、それぞれ五感を刺激して、そのコップを使用する際に、安らぎの効果を高め、結果、人の営みの生産性も高める。そのコップは、飲料水等の内容物を注がなくとも、コップを振れば、砂の音がして、その砂が星砂を使用していれば、見た目にも連想は広がり、そのコップを太陽にかざせば、また違ったコップに見える。その上、そのコップには水、空気、砂、そして炭と、地球に必要なものが揃い、また、自然素材の特性も学べ、自然を愛する心を養う教育的教材ともなり得る。
【考案を実施するための最良の形態】
【０００６】  そのコップを傾けたときに、コップに作られた空気層内の砂が引力によって音をたてて動き、そのコップを持つ手が結露によって濡れても、そのコップの置き場所に結露による水が溜まりにくい具合の炭と砂の量を加減して入れる。炭は、地球の大地のごとく動かずに、コップに作られた空気層内の下部に留まる形が望ましい。そして、人の好みの感覚は色々なので、ひとつのコップを二つに分け、そのコップの底辺部と本体部を、電球のオス、メスの形態のように電球はめ込み式で結合して、その本体部と底辺部が合わさる部分には素材に金具を用い、取り外しが可能な着脱方式を取り入れ、外周を２重にすることで得られる空気層内に入れる砂と炭の量を加減し、また、砂と炭の種類を変更できることが望ましい。その着脱方式を取り入れることで、砂と炭以外のものも、そのコップに作られる空気層内に入れることができる。
【図面の簡単な説明】
【０００７】
【図１】本考案のコップの一例を示す断面図である。
【図２】同上コップの本体部と底辺部の取り外し時の断面図である。
【図３】同上コップの本体部を逆さまにして、それを真上から見た図である。
【図４】同上コップの底辺部を真上から見た図である。
【符号の説明】
【０００８】  １    コップ本体
２    炭
３    砂
４    空気層
５    本体部
６    底辺部
７    電球はめ込み式の結合部
８    金具
９    本体部、電球のメスの形態のような結合部
１０  底辺部、電球のオスの形態のような結合部
１１  ゴム
【図１】
0003109343.tif 000003
【図２】
0003109343.tif 000004
【図３】
0003109343.tif 000005
【図４】
0003109343.tif 000006
【手続補正書】
【提出日】平成17年1月18日(2005.1.18)
【手続補正１】
【補正対象書類名】明細書
【補正対象項目名】０００５
【補正方法】変更
【補正の内容】
【０００５】  このような手段を用いれば、更に、そのコップに注がれている飲料水等の内容物を動かすときの音と、若干残るであろう結露の見た目と、そのコップを傾けたときに動く砂の音と、そのコップを手に持てば結露が、それぞれ五感を刺激して、そのコップを使用する際に、安らぎの効果を高め、結果、人の営みの生産性も高める。そのコップは、飲料水等の内容物を注がなくとも、コップを振れば、砂の音がして、その砂が星砂を使用していれば、見た目にも連想は広がり、そのコップを太陽にかざせば、また違ったコップに見える。その上、そのコップには水、空気、砂、そして炭と、地球に必要なものが揃い、また、自然素材の特性も学べ、自然を愛する心を養う教育的教材ともなり得る。そのコップの形状を飲料水等の内容物を入れたりする部分を含む本体部と底辺部の取り外しが可能な着脱方式にすることにより、コップに作られた空気層内にそのコップを使う人の自由で好きなものを入れることが可能となり、本来、休息の目的のために使用する道具としてのコップの付加価値はあがり、結果、人の営みの生産性もあがる。